(57)【要約】  本発明はデータ伝送方法及び装置、コンピュータ記憶媒体を開示し、前記方法は、第１端末が第１時間周波数リソースを利用して、少なくとも１つの第１リンク及び第２リンクにおいて同一のデータを伝送することを含み、前記第１リンクは前記第１端末と第２端末との間のリンクであり、前記第２リンクは前記第１端末と基地局との間のリンクである。
2021516469.tif 000002
【特許請求の範囲】
【請求項１】
データ伝送方法であって、
第１端末が第１時間周波数リソースを利用して、少なくとも１つの第１リンク及び第２リンクにおいて同一のデータを伝送することを含み、
前記第１リンクは前記第１端末と第２端末との間のリンクであり、前記第２リンクは前記第１端末と基地局との間のリンクである、データ伝送方法。
【請求項２】
前記第１端末は第１情報を基地局に送信し、前記第１情報は前記第１端末が前記第１リンク及び前記第２リンクにおいて伝送する必要があるデータ量を示すことと、
前記第１端末は、前記基地局が前記第１情報に基づいて構成した前記第１時間周波数リソースを受信することと、を更に含む請求項１に記載の方法。
【請求項３】
前記第１端末が第１情報を基地局に送信することは、
前記第１端末が媒体アクセス制御の制御要素（ＭＡＣ  ＣＥ）を介して第１情報を基地局に送信すること、又は、
前記第１端末が無線リソース制御（ＲＲＣ）シグナリングを介して第１情報を基地局に送信することを含む請求項２に記載の方法。
【請求項４】
前記第１端末がＭＡＣ  ＣＥを介して第１情報を基地局に送信することは、
前記第１端末がバッファステータスレポート（ＢＳＲ）を介して前記第１情報を送信することを含む請求項３に記載の方法。
【請求項５】
前記第１端末が第１情報を基地局に送信する場合、前記データに対応するロジックチャネル又はサービスベアラ又はサービスタイプを示す第４情報を更に前記基地局に送信することを更に含む請求項２〜４のいずれか一項に記載の方法。
【請求項６】
前記第１端末が、前記基地局が前記第１情報に基づいて構成した前記第１時間周波数リソースを受信することは、
前記第１端末は物理層制御シグナリングを介して、前記基地局が前記第１情報に基づいて構成した前記第１時間周波数リソースを受信すること、又は、
前記第１端末はＭＡＣ層制御シグナリングを介して、前記基地局が前記第１情報に基づいて構成した前記第１時間周波数リソースを受信すること、又は、
前記第１端末はＲＲＣ層制御シグナリングを介して、前記基地局が前記第１情報に基づいて構成した前記第１時間周波数リソースを受信することを含む請求項２〜５のいずれか一項に記載の方法。
【請求項７】
前記第１時間周波数リソースが単一の伝送リソースであり、又は、
前記第１時間周波数リソースが一組の周期的伝送リソースである、請求項２〜６のいずれか一項に記載の方法。
【請求項８】
前記第１時間周波数リソースが一組の周期的伝送リソースである場合、前記方法は、
前記第１端末は前記基地局から送信された前記第１時間周波数リソースに対応する時間周期及び／又は有効時間を受信することを更に含む請求項７に記載の方法。
【請求項９】
前記方法は、
前記第１端末は、前記基地局が前記第１リンクのリンク品質を示す第２情報と、前記第２リンクのリンク品質を示す第３情報とに基づいて構成した前記第１時間周波数リソースに対応する伝送パラメータを受信することを更に含み、
前記伝送パラメータは、変調符号化スキーム（ＭＣＳ）、送信電力のうちの少なくとも１つを含む、請求項１〜８のいずれか一項に記載の方法。
【請求項１０】
前記第１端末が前記第２端末に第１信号を送信することにより、前記第２端末が前記第１信号に基づいて第２情報を前記第１端末にフィードバックし、又は前記第２情報を基地局に送信することと、
前記第１端末は前記第２端末が前記第１信号に基づいてフィードバックした第２情報を受信した場合、前記基地局に前記第２情報を送信することと、を更に含む請求項９に記載の方法。
【請求項１１】
前記第１端末は前記第２端末が第１電力で送信した第２信号を受信し、前記第２信号に基づいて前記第２情報を決定して、前記基地局に前記第２情報を送信することを更に含む請求項９に記載の方法。
【請求項１２】
前記第１端末が第２電力で前記基地局に第３信号を送信することにより、前記基地局が前記第３信号に基づいて前記第３情報を決定することを更に含む請求項９〜１１のいずれか一項に記載の方法。
【請求項１３】
前記第１端末は基地局から送信された複数の時間周波数リソースを受信することと、
前記第１端末は前記複数の時間周波数リソースから、前記データを伝送するための前記第１時間周波数リソースを選択することと、を更に含む請求項１に記載の方法。
【請求項１４】
前記第１端末が基地局から送信された複数の時間周波数リソースを受信することは、
前記第１端末がＭＡＣ層制御シグナリングを介して、基地局から送信された複数の時間周波数リソースを受信すること、又は、
前記第１端末がＲＲＣ層制御シグナリングを介して、基地局から送信された複数の時間周波数リソースを受信することを含む、請求項１３に記載の方法。
【請求項１５】
前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す、請求項１３又は１４に記載の方法。
【請求項１６】
前記複数の時間周波数リソースのうちの各時間周波数リソースは単一の伝送リソース、又は、一組の周期的伝送リソースであり、
前記時間周波数リソースが一組の周期的伝送リソースである場合、前記方法は、
前記第１端末は前記基地局から送信された前記時間周波数リソースに対応する時間周期及び／又は有効時間を受信することを更に含む請求項１３〜１５のいずれか一項に記載の方法。
【請求項１７】
前記方法は、
前記第１端末は前記第１リンクのリンク品質を示す第２情報と、前記第２リンクのリンク品質を示す第３情報とに基づいて、前記第１時間周波数リソースに対応する伝送パラメータを決定することを更に含み、
前記伝送パラメータは、ＭＣＳ、送信電力のうちの少なくとも１つを含む、請求項１３〜１６のいずれか一項に記載の方法。
【請求項１８】
前記第１端末が前記第２端末に第１信号を送信することにより、前記第２端末が前記第１信号に基づいて前記第１端末に第２情報をフィードバックすることを更に含む請求項１７に記載の方法。
【請求項１９】
前記第１端末は前記第２端末が第１電力で送信した第２信号を受信し、前記第２信号に基づいて前記第２情報を決定することを更に含む請求項１７に記載の方法。
【請求項２０】
前記第１端末が第２電力で前記基地局に第３信号を送信することにより、前記基地局が前記第３信号に基づいて前記第３情報を決定することと、
前記第１端末が前記基地局から送信された前記第３情報を受信することと、を更に含む請求項１７に記載の方法。
【請求項２１】
前記第１端末は前記第１リンクにおける制御シグナリングを介して、前記第１時間周波数リソースに対応する伝送パラメータを前記第２端末に送信し、前記第２リンクにおける制御シグナリングを介して、前記第１時間周波数リソースに対応する伝送パラメータを前記基地局に送信することを更に含む請求項１７〜２０のいずれか一項に記載の方法。
【請求項２２】
データ伝送装置であって、
第１時間周波数リソースを利用して、少なくとも１つの第１リンク及び第２リンクにおいて同一のデータを伝送することに用いられ、前記第１リンクが前記第１端末と第２端末との間のリンクであり、前記第２リンクが前記第１端末と基地局との間のリンクであるデータ伝送ユニットを備える、データ伝送装置。
【請求項２３】
前記第１端末が前記第１リンク及び前記第２リンクにおいて伝送する必要があるデータ量を示す第１情報を基地局に送信することに用いられる第１送信ユニットと、
前記基地局が前記第１情報に基づいて構成した前記第１時間周波数リソースを受信することに用いられる第１受信ユニットと、を更に備える請求項２２に記載の装置。
【請求項２４】
前記第１送信ユニットは、ＭＡＣ  ＣＥを介して第１情報を基地局に送信し、又は、ＲＲＣシグナリングを介して第１情報を基地局に送信することに用いられる請求項２３に記載の装置。
【請求項２５】
前記第１送信ユニットは、ＢＳＲを介して前記第１情報を送信することに用いられる請求項２４に記載の装置。
【請求項２６】
前記第１送信ユニットは更に、前記データに対応するロジックチャネル又はサービスベアラ又はサービスタイプを示す第４情報を前記基地局に送信することに用いられる請求項２３〜２５のいずれか一項に記載の装置。
【請求項２７】
前記第１受信ユニットは、物理層制御シグナリングを介して、前記基地局が前記第１情報に基づいて構成した前記第１時間周波数リソースを受信し、又は、ＭＡＣ層制御シグナリングを介して、前記基地局が前記第１情報に基づいて構成した前記第１時間周波数リソースを受信し、又は、ＲＲＣ層制御シグナリングを介して、前記基地局が前記第１情報に基づいて構成した前記第１時間周波数リソースを受信することに用いられる請求項２３〜２６のいずれか一項に記載の装置。
【請求項２８】
前記第１時間周波数リソースが単一の伝送リソースであり、又は、
前記第１時間周波数リソースが一組の周期的伝送リソースである、請求項２３〜２７のいずれか一項に記載の装置。
【請求項２９】
前記第１時間周波数リソースが一組の周期的伝送リソースである場合、前記第１受信ユニットは更に、前記基地局から送信された前記第１時間周波数リソースに対応する時間周期及び／又は有効時間を受信することに用いられる請求項２８に記載の装置。
【請求項３０】
前記装置は、
前記基地局が前記第１リンクのリンク品質を示す第２情報と、前記第２リンクのリンク品質を示す第３情報とに基づいて構成した前記第１時間周波数リソースに対応する伝送パラメータを受信することに用いられる第２受信ユニットを更に備え、
前記伝送パラメータは、ＭＣＳ、送信電力のうちの少なくとも１つを含む、請求項２２〜２９のいずれか一項に記載の装置。
【請求項３１】
第１信号を前記第２端末に送信することにより、前記第２端末が前記第１信号に基づいて第２情報を前記第１端末にフィードバックし、又は前記第２情報を基地局に送信することに用いられる第２送信ユニットと、
前記第２端末が前記第１信号に基づいてフィードバックした第２情報を受信することに用いられる第３受信ユニットと、
前記第２情報を前記基地局に送信することに用いられる第３送信ユニットと、を更に備える請求項３０に記載の装置。
【請求項３２】
前記第２端末が第１電力で送信した第２信号を受信し、前記第２信号に基づいて前記第２情報を決定することに用いられる第４受信ユニットと、
前記第２情報を前記基地局に送信することに用いられる第４送信ユニットと、を更に備える請求項３０に記載の装置。
【請求項３３】
第２電力で第３信号を前記基地局に送信することにより、前記基地局が前記第３信号に基づいて前記第３情報を決定することに用いられる第５送信ユニットを更に備える請求項３０〜３２のいずれか一項に記載の装置。
【請求項３４】
基地局から送信された複数の時間周波数リソースを受信することに用いられる第５受信ユニットと、
前記複数の時間周波数リソースから、前記データを伝送するための前記第１時間周波数リソースを選択することに用いられる選択ユニットと、を更に備える請求項２２に記載の装置。
【請求項３５】
前記第５受信ユニットは、ＭＡＣ層制御シグナリングを介して、基地局から送信された複数の時間周波数リソースを受信し、又は、ＲＲＣ層制御シグナリングを介して、基地局から送信された複数の時間周波数リソースを受信することに用いられる請求項３４に記載の装置。
【請求項３６】
前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す、請求項３４又は３５に記載の装置。
【請求項３７】
前記複数の時間周波数リソースのうちの各時間周波数リソースは単一の伝送リソース、又は、一組の周期的伝送リソースであり、
前記時間周波数リソースが一組の周期的伝送リソースである場合、前記第５受信ユニットは更に、前記基地局が送信した前記時間周波数リソースに対応する時間周期及び／又は有効時間を受信することに用いられる請求項３４〜３６のいずれか一項に記載の装置。
【請求項３８】
前記装置は、
前記第１リンクのリンク品質を示す第２情報と、前記第２リンクのリンク品質を示す第３情報とに基づいて前記第１時間周波数リソースに対応する伝送パラメータを決定することに用いられる決定ユニットを更に備え、
前記伝送パラメータは、ＭＣＳ、送信電力のうちの少なくとも１つを含む請求項３４〜３７のいずれか一項に記載の装置。
【請求項３９】
第１信号を前記第２端末に送信することにより、前記第２端末が前記第１信号に基づいて前記第１端末に第２情報をフィードバックすることに用いられる第６送信ユニットを更に備える請求項３８に記載の装置。
【請求項４０】
前記第２端末が第１電力で送信した第２信号を受信し、前記第２信号に基づいて前記第２情報を決定することに用いられる第６受信ユニットを更に備える請求項３８に記載の装置。
【請求項４１】
第２電力で第３信号を前記基地局に送信することにより、前記基地局が前記第３信号に基づいて前記第３情報を決定することに用いられる第７送信ユニットと、
前記基地局が送信した前記第３情報を受信することに用いられる第７受信ユニットと、を更に備える請求項３８に記載の装置。
【請求項４２】
前記第１リンクにおける制御シグナリングを介して、前記第１時間周波数リソースに対応する伝送パラメータを前記第２端末に送信し、前記第２リンクにおける制御シグナリングを介して、前記第１時間周波数リソースに対応する伝送パラメータを前記基地局に送信することに用いられる通知ユニットを更に備える請求項３８〜４１のいずれか一項に記載の装置。
【請求項４３】
コンピュータ記憶媒体であって、コンピュータ実行可能命令が記憶され、該コンピュータ実行可能命令がプロセッサに実行されると、請求項１〜２１のいずれか一項に記載の方法のステップを実現するコンピュータ記憶媒体。
【発明の詳細な説明】
【技術分野】
【０００１】
本発明は無線通信の技術分野に関し、特にデータ伝送方法及び装置、コンピュータ記憶媒体に関する。
【背景技術】
【０００２】
サービス発展のニーズに応じて、端末間のサービス交換のニーズが高まり、相応なアプリケーションが徐々に増加する。例えば、ローカルインタラクティブゲームによるデータ共有の適用シーンにおいて、ローカル端末は端末間の直接通信を介してデータ共有を行い、協力してゲームをクリアする。また、例えば、ローカルミーティングによるデータ共有の適用シーンにおいて、ローカル端末は端末間の直接通信を介して、ミーティングファイル、ピクチャ、ビデオの共有のようなミーティング中のデータ共有を行う。
【０００３】
端末間の通信過程において、一部のユーザ端末がローカルであり、サイドリンク（ＳＬ、Ｓｉｄｅ  Ｌｉｎｋ）のカバレッジ範囲内にあるが、残りのユーザ端末が非ローカルであり、従来のセルラーカバレッジ範囲内にあるため、端末はデータをローカルのユーザ端末に送信する必要がある場合、ＳＬインターフェース（端末と端末との間のインターフェース）を介してデータを送信する必要があり、一方、端末はデータを非ローカルのユーザ端末に送信する必要がある場合、Ｕｕインターフェース（端末と基地局との間のインターフェース）を介してデータを送信する必要がある。
【０００４】
通常、端末がＳＬインターフェースで使用する時間周波数リソースはＵｕインターフェースで使用する時間周波数リソースと異なり、このようなリソース使用方式はリソースの節約に不利であり、場合によってはリソースの浪費をもたらしてしまう。
【発明の概要】
【発明が解決しようとする課題】
【０００５】
上記技術的課題を解決するために、本発明の実施例はデータ伝送方法及び装置、コンピュータ記憶媒体を提供する。
【課題を解決するための手段】
【０００６】
本発明の実施例により提供されるデータ伝送方法は、
第１端末が第１時間周波数リソースを利用して、少なくとも１つの第１リンク及び第２リンクにおいて同一のデータを伝送することを含み、
前記第１リンクは前記第１端末と第２端末との間のリンクであり、前記第２リンクは前記第１端末と基地局との間のリンクである。
【０００７】
本発明の実施例において、前記方法は、
前記第１端末は、前記第１端末が前記第１リンク及び前記第２リンクにおいて伝送する必要があるデータ量を示す第１情報を基地局に送信することと、
前記第１端末は、前記基地局が前記第１情報に基づいて構成した前記第１時間周波数リソースを受信することと、を更に含む。
【０００８】
本発明の実施例において、前記第１端末が第１情報を基地局に送信することは、
前記第１端末が媒体アクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）を介して第１情報を基地局に送信すること、又は、
前記第１端末が無線リソース制御（ＲＲＣ、Ｒａｄｉｏ  Ｒｅｓｏｕｒｃｅ  Ｃｏｎｔｒｏｌ）シグナリングを介して第１情報を基地局に送信することを含む。
【０００９】
本発明の実施例において、前記第１端末がＭＡＣ  ＣＥを介して第１情報を基地局に送信することは、
前記第１端末がバッファステータスレポート（ＢＳＲ、Ｂｕｆｆｅｒ  Ｓｔａｔｕｓ  Ｒｅｐｏｒｔ）を介して前記第１情報を送信することを含む。
【００１０】
本発明の実施例において、前記方法は、
前記第１端末が第１情報を基地局に送信する場合、前記データに対応するロジックチャネル又はサービスベアラ又はサービスタイプを示す第４情報を更に前記基地局に送信することを更に含む。
【００１１】
本発明の実施例において、前記方法は、
前記第１端末が第１情報を基地局に送信する場合、周期、ＱｏＳニーズ等の前記サービス特徴の関連情報を示す第５情報を更に前記基地局に送信することを更に含む。
【００１２】
本発明の実施例において、前記第１端末が、前記基地局が前記第１情報に基づいて構成した前記第１時間周波数リソースを受信することは、
前記第１端末は物理層制御シグナリングを介して、前記基地局が前記第１情報に基づいて構成した前記第１時間周波数リソースを受信すること、又は、
前記第１端末はＭＡＣ層制御シグナリングを介して、前記基地局が前記第１情報に基づいて構成した前記第１時間周波数リソースを受信すること、又は、
前記第１端末はＲＲＣ層制御シグナリングを介して、前記基地局が前記第１情報に基づいて構成した前記第１時間周波数リソースを受信することを含む。
【００１３】
本発明の実施例において、前記第１時間周波数リソースが単一の伝送リソースであり、又は、
前記第１時間周波数リソースが一組の周期的伝送リソースである。
【００１４】
本発明の実施例において、前記第１時間周波数リソースが一組の周期的伝送リソースである場合、前記方法は、
前記第１端末は前記基地局から送信された前記第１時間周波数リソースに対応する時間周期及び／又は有効時間を受信することを更に含む。
【００１５】
本発明の実施例において、前記方法は、
前記第１端末は、前記基地局が前記第１リンクのリンク品質を示す第２情報と、前記第２リンクのリンク品質を示す第３情報とに基づいて構成した前記第１時間周波数リソースに対応する伝送パラメータを受信することを更に含み、
前記伝送パラメータは変調符号化スキーム（ＭＣＳ、Ｍｏｄｕｌａｔｉｏｎ  ａｎｄ  Ｃｏｄｉｎｇ  Ｓｃｈｅｍｅ）、送信電力のうちの少なくとも１つを含む。
【００１６】
本発明の実施例において、前記方法は、
前記第１端末が前記第２端末に第１信号を送信することにより、前記第２端末が前記第１信号に基づいて第２情報を前記第１端末にフィードバックし、又は前記第２情報を基地局に送信することと、
前記第１端末は前記第２端末が前記第１信号に基づいてフィードバックした第２情報を受信した場合、前記基地局に前記第２情報を送信するように選択してもよいことと、を更に含む。
【００１７】
本発明の実施例において、前記方法は、
前記第１端末は前記第２端末が第１電力で送信した第２信号を受信し、前記第２信号に基づいて前記第２情報を決定し、前記第２情報を前記基地局に送信するように選択してもよいことを更に含む。
【００１８】
一実施形態では、前記第１電力は基地局により構成されてもよい。
【００１９】
本発明の実施例において、前記方法は、
前記第１端末が第２電力で前記基地局に第３信号を送信することにより、前記基地局が前記第３信号に基づいて前記第３情報を決定することを更に含む。
【００２０】
一実施形態では、前記第２電力は基地局により構成されてもよい。
【００２１】
本発明の実施例において、前記方法は、
前記第１端末は基地局から送信された複数の時間周波数リソースを受信することと、
前記第１端末は前記複数の時間周波数リソースから、前記データを伝送するための前記第１時間周波数リソースを選択することと、を更に含む。
【００２２】
一実施形態では、前記方法は、前記第１端末は基地局から送信された複数の時間周波数リソースを受信する前に、前記データに対応するロジックチャネル又はサービスベアラ又はサービスタイプを示す第４情報を前記基地局に送信することを更に含む。
【００２３】
一実施形態では、前記方法は、前記第１端末は基地局から送信された複数の時間周波数リソースを受信する前に、周期、ＱｏＳニーズ等の前記サービス特徴の関連情報を示す第５情報を基地局に送信することを更に含む。
【００２４】
本発明の実施例において、前記第１端末が基地局から送信された複数の時間周波数リソースを受信することは、
前記第１端末がＭＡＣ層制御シグナリングを介して、基地局から送信された複数の時間周波数リソースを受信すること、又は、
前記第１端末がＲＲＣ層制御シグナリングを介して、基地局から送信された複数の時間周波数リソースを受信することを含む。
【００２５】
本発明の実施例において、前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す。
【００２６】
本発明の実施例において、前記複数の時間周波数リソースのうちの各時間周波数リソースは単一の伝送リソース、又は、一組の周期的伝送リソースであり、
前記時間周波数リソースが一組の周期的伝送リソースである場合、前記方法は、
前記第１端末は前記基地局から送信された前記時間周波数リソースに対応する時間周期及び／又は有効時間を受信することを更に含む。
【００２７】
本発明の実施例において、前記方法は、
前記第１端末は前記第１リンクのリンク品質を示す第２情報と、前記第２リンクのリンク品質を示す第３情報とに基づいて、前記第１時間周波数リソースに対応する伝送パラメータを決定すること、又は、
前記第１端末は前記基地局により構成された、伝送パラメータ最大値のような伝送パラメータ範囲を受信し、前記第１端末が第２情報及び第３情報に基づいて前記伝送パラメータ範囲から、データの伝送のための適切な伝送パラメータを選択することを更に含み、
前記伝送パラメータは、ＭＣＳ、送信電力のうちの少なくとも１つを含む。
【００２８】
本発明の実施例において、前記方法は、
前記第１端末が前記第２端末に第１信号を送信することにより、前記第２端末が前記第１信号に基づいて前記第１端末に第２情報をフィードバックすることを更に含む。
【００２９】
本発明の実施例において、前記方法は、
前記第１端末は前記第２端末が第１電力で送信した第２信号を受信し、前記第２信号に基づいて前記第２情報を決定することを更に含む。
【００３０】
本発明の実施例において、前記方法は、
前記第１端末が第２電力で前記基地局に第３信号を送信することにより、前記基地局が前記第３信号に基づいて前記第３情報を決定することと、
前記第１端末が前記基地局から送信された前記第３情報を受信することと、を更に含む。
【００３１】
本発明の実施例において、前記方法は、
前記第１端末は前記第１リンクにおける制御シグナリングを介して、前記第１時間周波数リソースに対応する伝送パラメータを前記第２端末に送信し、前記第２リンクにおける制御シグナリングを介して、前記第１時間周波数リソースに対応する伝送パラメータを前記基地局に送信することを更に含む。
【００３２】
本発明の実施例によるデータ伝送装置は、
第１時間周波数リソースを利用して、少なくとも１つの第１リンク及び第２リンクにおいて同一のデータを伝送することに用いられ、前記第１リンクが前記第１端末と第２端末との間のリンクであり、前記第２リンクが前記第１端末と基地局との間のリンクであるデータ伝送ユニットを備える。
【００３３】
本発明の実施例において、前記装置は、
前記第１端末が前記第１リンク及び前記第２リンクにおいて伝送する必要があるデータ量を示す第１情報を基地局に送信することに用いられる第１送信ユニットと、
前記基地局が前記第１情報に基づいて構成した前記第１時間周波数リソースを受信することに用いられる第１受信ユニットと、を更に備える。
【００３４】
本発明の実施例において、前記第１送信ユニットは、ＭＡＣ  ＣＥを介して第１情報を基地局に送信し、又は、ＲＲＣシグナリングを介して第１情報を基地局に送信することに用いられる。
【００３５】
本発明の実施例において、前記第１送信ユニットは、ＢＳＲを介して前記第１情報を送信することに用いられる。
【００３６】
本発明の実施例において、前記第１送信ユニットは更に、前記データに対応するロジックチャネル又はサービスベアラ又はサービスタイプを示す第４情報を前記基地局に送信することに用いられる。
【００３７】
本発明の実施例において、前記第１受信ユニットは、物理層制御シグナリングを介して、前記基地局が前記第１情報に基づいて構成した前記第１時間周波数リソースを受信し、又は、ＭＡＣ層制御シグナリングを介して、前記基地局が前記第１情報に基づいて構成した前記第１時間周波数リソースを受信し、又は、ＲＲＣ層制御シグナリングを介して、前記基地局が前記第１情報に基づいて構成した前記第１時間周波数リソースを受信することに用いられる。
【００３８】
本発明の実施例において、前記第１時間周波数リソースが単一の伝送リソースであり、又は、
前記第１時間周波数リソースが一組の周期的伝送リソースである。
【００３９】
本発明の実施例において、前記第１時間周波数リソースが一組の周期的伝送リソースである場合、前記第１受信ユニットは更に、前記基地局から送信された前記第１時間周波数リソースに対応する時間周期及び／又は有効時間を受信することに用いられる。
【００４０】
本発明の実施例において、前記装置は、
前記基地局が前記第１リンクのリンク品質を示す第２情報と、前記第２リンクのリンク品質を示す第３情報とに基づいて構成した前記第１時間周波数リソースに対応する伝送パラメータを受信することに用いられる第２受信ユニットを更に備え、
前記伝送パラメータは、ＭＣＳ、送信電力のうちの少なくとも１つを含む。
【００４１】
本発明の実施例において、前記装置は、
第１信号を前記第２端末に送信することにより、前記第２端末が前記第１信号に基づいて第２情報を前記第１端末にフィードバックし、又は前記第２情報を基地局に送信することに用いられる第２送信ユニットと、
前記第２端末が前記第１信号に基づいてフィードバックした第２情報を受信することに用いられる第３受信ユニットと、
前記第２情報を前記基地局に送信することに用いられる第３送信ユニットと、を更に備える。
【００４２】
本発明の実施例において、前記装置は、
前記第２端末が第１電力で送信した第２信号を受信し、前記第２信号に基づいて前記第２情報を決定することに用いられる第４受信ユニットと、
前記第２情報を前記基地局に送信することに用いられる第４送信ユニットと、を更に備える。
【００４３】
本発明の実施例において、前記装置は、
第２電力で第３信号を前記基地局に送信することにより、前記基地局が前記第３信号に基づいて前記第３情報を決定することに用いられる第５送信ユニットを更に備える。
【００４４】
本発明の実施例において、前記装置は、
基地局から送信された複数の時間周波数リソースを受信することに用いられる第５受信ユニットと、
前記複数の時間周波数リソースから、前記データを伝送するための前記第１時間周波数リソースを選択することに用いられる選択ユニットと、を更に備える。
【００４５】
本発明の実施例において、前記第５受信ユニットは、ＭＡＣ層制御シグナリングを介して、基地局から送信された複数の時間周波数リソースを受信し、又は、ＲＲＣ層制御シグナリングを介して、基地局から送信された複数の時間周波数リソースを受信することに用いられる。
【００４６】
本発明の実施例において、前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す。
【００４７】
本発明の実施例において、前記複数の時間周波数リソースのうちの各時間周波数リソースは単一の伝送リソース、又は、一組の周期的伝送リソースであり、
前記時間周波数リソースが一組の周期的伝送リソースである場合、前記第５受信ユニットは更に、前記基地局が送信した前記時間周波数リソースに対応する時間周期及び／又は有効時間を受信することに用いられる。
【００４８】
本発明の実施例において、前記装置は、
前記第１リンクのリンク品質を示す第２情報と、前記第２リンクのリンク品質を示す第３情報とに基づいて前記第１時間周波数リソースに対応する伝送パラメータを決定することに用いられる決定ユニットを更に備え、
前記伝送パラメータは、ＭＣＳ、送信電力のうちの少なくとも１つを含む。
【００４９】
本発明の実施例において、前記装置は、
第１信号を前記第２端末に送信することにより、前記第２端末が前記第１信号に基づいて前記第１端末に第２情報をフィードバックすることに用いられる第６送信ユニットを更に備える。
【００５０】
本発明の実施例において、前記装置は、
前記第２端末が第１電力で送信した第２信号を受信し、前記第２信号に基づいて前記第２情報を決定することに用いられる第６受信ユニットを更に備える。
【００５１】
本発明の実施例において、前記装置は、
第２電力で第３信号を前記基地局に送信することにより、前記基地局が前記第３信号に基づいて前記第３情報を決定することに用いられる第７送信ユニットと、
前記基地局が送信した前記第３情報を受信することに用いられる第７受信ユニットと、を更に備える。
【００５２】
本発明の実施例において、前記装置は、
前記第１リンクにおける制御シグナリングを介して、前記第１時間周波数リソースに対応する伝送パラメータを前記第２端末に送信し、前記第２リンクにおける制御シグナリングを介して、前記第１時間周波数リソースに対応する伝送パラメータを前記基地局に送信することに用いられる通知ユニットを更に備える。
【００５３】
本発明の実施例によるコンピュータ記憶媒体には、コンピュータ実行可能命令が記憶され、該コンピュータ実行可能命令はプロセッサに実行されると、上記データ伝送方法を実現する。
【発明の効果】
【００５４】
本発明の実施例の技術案では、第１端末は第１時間周波数リソースを利用して、少なくとも１つの第１リンク及び第２リンクにおいて同一のデータを伝送し、前記第１リンクは前記第１端末と第２端末との間のリンクであり、前記第２リンクは前記第１端末と基地局との間のリンクである。本発明の実施例の技術案によれば、第１リンク（ＳＬインターフェースに対応する）及び第２リンク（Ｕｕインターフェースに対応する）において送信されたデータが同一である場合、第１リンク及び第２リンクは同一の時間周波数リソース（即ち第１時間周波数リソース）を用いることができ、リソースを節約し、また、データ伝送効率を向上させる。
【図面の簡単な説明】
【００５５】
ここで説明した図面により本発明を更に理解し、本願の一部となり、本発明の例示的な実施例及びその説明は本発明を解釈するものに過ぎず、本発明に対する不適切な限定を構成しない。
【００５６】
【図１】図１は本発明の実施例の５Ｇネットワークのシステムアーキテクチャ図である。
【図２】図２は本発明の実施例の４Ｇネットワークのシステムアーキテクチャ図である。
【図３】図３は本発明の実施例のデータ送信シーンの模式図１である。
【図４】図４は本発明の実施例のデータ送信シーンの模式図２である。
【図５】図５は本発明の実施例のデータ伝送方法のフロー模式図１である。
【図６】図６は本発明の実施例のデータ送信シーンの模式図３である。
【図７】図７は本発明の実施例のデータ伝送装置の構成模式図である。
【図８】図８は本発明の実施例のコンピュータ装置の構成模式図である。
【発明を実施するための形態】
【００５７】
本発明の実施例の特徴及び技術内容をより詳しく理解するために、以下では、図面を参照しながら、本発明の実施例の実現を詳しく説明し、添付図面は参照して説明するものに過ぎず、本発明の実施例を限定するものではない。
【００５８】
図１は本発明の実施例の５Ｇネットワークのシステムアーキテクチャ図である。図１に示されるように、５Ｇネットワークシステムに係る装置は、端末（ＵＥ、Ｕｓｅｒ  Ｅｑｕｉｐｍｅｎｔ）、無線アクセスネットワーク（ＲＡＮ、Ｒａｄｉｏ  Ａｃｃｅｓｓ  Ｎｅｔｗｏｒｋ）、ユーザプレーン機能（ＵＰＦ、Ｕｓｅｒ  Ｐｌａｎｅ  Ｆｕｎｃｔｉｏｎ）、データネットワーク（ＤＮ、Ｄａｔａ  Ｎｅｔｗｏｒｋ）、アクセス及び移動性管理機能（ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ、Ｓｅｓｓｉｏｎ  Ｍａｎａｇｅｍｅｎｔ  Ｆｕｎｃｔｉｏｎ）、ポリシー制御機能（ＰＣＦ、Ｐｏｌｉｃｙ  Ｃｏｎｔｒｏｌ  ｆｕｎｃｔｉｏｎ）、アプリケーション機能（ＡＦ、Ａｐｐｌｉｃａｔｉｏｎ  Ｆｕｎｃｔｉｏｎ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、統合データ管理（ＵＤＭ、Ｕｎｉｆｉｅｄ  Ｄａｔａ  Ｍａｎａｇｅｍｅｎｔ）を含む。
【００５９】
図２は本発明の実施例の４Ｇネットワークのシステムアーキテクチャ図である。図２に示されるように、４Ｇネットワークシステムに係る装置は、端末（ＵＥ、Ｕｓｅｒ  Ｅｑｕｉｐｍｅｎｔ）、進化型ユニバーサル地上無線アクセスネットワーク（Ｅ−ＵＴＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、移動性管理機能（ＭＭＥ、Ｍｏｂｉｌｉｔｙ  Ｍａｎａｇｅｍｅｎｔ  Ｅｎｔｉｔｙ）ネットワークエレメント、サービングＧＰＲＳサポートノード（ＳＧＳＮ、Ｓｅｒｖｉｎｇ  ＧＰＲＳ  Ｓｕｐｐｏｒｔ  Ｎｏｄｅ）、ホーム加入者サーバ（ＨＳＳ、Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ、Ｐａｃｋｅｔ  Ｄａｔａ  Ｎｅｔｗｏｒｋ  Ｇａｔｅｗａｙ）、ポリシー及び課金ルール機能ユニット（ＰＣＲＦ、Ｐｏｌｉｃｙ  ａｎｄ  Ｃｈａｒｇｉｎｇ  Ｒｕｌｅｓ  Ｆｕｎｃｔｉｏｎ）を含む。
【００６０】
上記図１、図２の例は、本発明の実施例を実現するためのネットワークアーキテクチャの一例に過ぎず、本発明の実施例は上記図１、図２に記載のネットワーク構造に制限されない。
【００６１】
図３、図４によれば、端末は同一のデータをローカルのユーザ端末及び非ローカルのユーザ端末に送信する必要がある場合、異なる時間周波数リソースで送信してもよく、同一の時間周波数リソースで送信してもよい。図３に示されるように、端末はＵｕインターフェース及びＳＬインターフェースにおいて異なる時間周波数リソースを利用してデータ送信を行う。図４に示されるように、端末はＵｕインターフェース及びＳＬインターフェースにおいて同一の時間周波数リソースを利用してデータの送信を行う。
【００６２】
ローカルデータ送信のシーンでは、端末がＵｕインターフェース及びＳＬインターフェースにおいて送信したデータは同一であるため、同一の時間周波数リソースでデータの送信を行えれば、リソースの利用率を向上させ、端末の電力を節約することができる。
【００６３】
図５は本発明の実施例のデータ伝送方法のフロー模式図１である。図５に示されるように、前記データ伝送方法は、
第１端末は第１時間周波数リソースを利用して、少なくとも１つの第１リンク及び第２リンクにおいて同一のデータを伝送し、前記第１リンクが前記第１端末と第２端末との間のリンクであり、前記第２リンクが前記第１端末と基地局との間のリンクであるステップ５０１を含む。
【００６４】
図６に示されるように、第１端末は端末１であり、第２端末は端末２であり、第１リンクに対応するインターフェースはＳＬインターフェースであり、第２リンクに対応するインターフェースはＵｕインターフェースである。端末１は同一の時間周波数リソースを利用してＳＬインターフェース（即ち第１リンク）及びＵｕインターフェース（即ち第２リンク）において同一のデータを送信するとともに、基地局及び端末２は該時間周波数リソースにおいてデータの受信を行う。
【００６５】
なお、本発明の実施例の端末の第１リンクの数は１つであってもよく、複数であってもよく、第１リンクの数が１つである場合、第１端末は１つの第２端末にデータを送信し、第１リンクの数が複数である場合、第１端末は複数の第２端末にデータを送信する。
【００６６】
本発明の実施例において、第１端末が第１リンク及び第２リンクにおいて使用した第１時間周波数リソースは、以下の方式１及び方式２によって決定される。
【００６７】
方式１として、前記第１端末は、前記第１端末が前記第１リンク及び前記第２リンクにおいて伝送する必要があるデータ量を示す第１情報を基地局に送信し、前記第１端末は前記基地局が前記第１情報に基づいて構成した前記第１時間周波数リソースを受信する。
【００６８】
本発明の実施例において、前記第１端末が第１情報を基地局に送信することは、
前記第１端末がＭＡＣ  ＣＥを介して第１情報を基地局に送信する方式１）、又は、
前記第１端末がＲＲＣシグナリングを介して第１情報を基地局に送信する方式２）で実現される。
【００６９】
上記方式１）について、前記第１端末はＢＳＲを介して前記第１情報を送信する。即ち、ＢＳＲは独立した制御ドメイン（即ちＭＡＣ  ＣＥ）で、同時にＵｕインターフェースとＳＬインターフェースにおいて伝送される必要があるデータ量を識別する。
【００７０】
上記方式２）について、ＲＲＣ層における情報エレメント（ＩＥ）によって第１情報を基地局に送信する。
【００７１】
一実施形態では、前記第１端末が第１情報を基地局に送信する場合、前記データに対応するロジックチャネル又はサービスベアラ又はサービスタイプを示す第４情報を前記基地局に更に送信する。
【００７２】
一実施形態では、前記第１端末が第１情報を基地局に送信する場合、周期、ＱｏＳニーズ等の前記サービス特徴の関連情報を示す第５情報を前記基地局に更に送信する。
【００７３】
基地局は第１情報、第４情報、第５情報のうちの１つ以上の情報に基づいて、端末のために第１伝送リソースを構成することができる。
【００７４】
本発明の実施例において、前記第１端末が、前記基地局が前記第１情報に基づいて構成した前記第１時間周波数リソースを受信することは、
前記第１端末が物理層制御シグナリングを介して、前記基地局が前記第１情報に基づいて構成した前記第１時間周波数リソースを受信する方式１）、又は、
前記第１端末がＭＡＣ層制御シグナリングを介して、前記基地局が前記第１情報に基づいて構成した前記第１時間周波数リソースを受信する方式２）、又は、
前記第１端末がＲＲＣ層制御シグナリングを介して、前記基地局が前記第１情報に基づいて構成した前記第１時間周波数リソースを受信する方式３）で実現される。
【００７５】
本発明の実施例において、前記第１時間周波数リソースが単一の伝送リソースであり、又は、前記第１時間周波数リソースが一組の周期的伝送リソースである。前記第１時間周波数リソースが一組の周期的伝送リソースである場合、前記第１端末は前記基地局から送信された前記第１時間周波数リソースに対応する時間周期及び／又は有効時間を受信する。
【００７６】
上記技術案によって、第１時間周波数リソース、即ち第１時間周波数リソースに対応する物理的時間領域リソース位置及び物理的周波数領域リソース位置を決定することができる。また、本発明の実施例は前記第１時間周波数リソースに対応する伝送パラメータを更に決定し、ここで、前記伝送パラメータはＭＣＳ、送信電力のうちの少なくとも１つを含む。
【００７７】
一実施形態では、前記第１端末は前記基地局が前記第１リンクのリンク品質を示す第２情報と、前記第２リンクのリンク品質を示す第３情報とに基づいて構成した前記第１時間周波数リソースに対応する伝送パラメータを受信する。
【００７８】
本発明の実施例において、基地局は下記方式１）又は方式２）で第２情報を取得することができる。
【００７９】
１）前記第１端末が前記第２端末に第１信号を送信することにより、前記第２端末が前記第１信号に基づいて第２情報を前記第１端末にフィードバックし又は前記第２情報を基地局に送信し、前記第１端末は前記第２端末が前記第１信号に基づいてフィードバックした第２情報を受信した場合、前記第２情報を前記基地局に送信するように選択してもよい。
【００８０】
２）前記第１端末は前記第２端末が第１電力で送信した第２信号を受信し、前記第２信号に基づいて前記第２情報を決定し、前記第２情報を前記基地局に送信するように選択してもよい。
【００８１】
一実施形態では、前記第１電力は基地局により構成されてもよい。
【００８２】
本発明の実施例において、基地局は、
前記第１端末が第２電力で前記基地局に第３信号を送信することにより、前記基地局が前記第３信号に基づいて前記第３情報を決定する方式で、第３情報を取得することができる。
【００８３】
一実施形態では、前記第２電力は基地局により構成されてもよい。
【００８４】
具体的に実現する時、前記第１信号、第２信号及び第３信号は測定用参照信号（ＳＲＳ、Ｓｏｕｎｄｉｎｇ  Ｒｅｆｅｒｅｎｃｅ  Ｓｉｇｎａｌ）であってもよい。
【００８５】
基地局は第１リンクのリンク品質及び第２リンクのリンク品質を取得した後、第１端末のためにＭＣＳ及び／又は送信電力を構成して、第１端末から送信されたデータが基地局及び第２端末に至ることを確保する。第１端末は基地局が構成したＭＣＳ及び／又は送信電力に応じて第１時間周波数リソースにおいてデータを基地局及び第２端末に送信する。
【００８６】
方式２として、前記第１端末は基地局から送信された複数の時間周波数リソースを受信し、前記第１端末は前記複数の時間周波数リソースから、前記データを伝送するための前記第１時間周波数リソースを選択する。
【００８７】
一実施形態では、前記方法は、前記第１端末が基地局から送信された複数の時間周波数リソースを受信する前に、前記データに対応するロジックチャネル又はサービスベアラ又はサービスタイプを示す第４情報を前記基地局に送信することを更に含む。
【００８８】
一実施形態では、前記方法は、前記第１端末が基地局から送信された複数の時間周波数リソースを受信する前に、周期、ＱｏＳニーズ等の前記サービス特徴の関連情報を示す第５情報を基地局に送信することを更に含む。
【００８９】
一実施形態では、前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す。更に、基地局は第１情報、第４情報及び第５情報のうちの１つ以上の情報に基づいて、端末のために複数の時間周波数リソースを構成する。
【００９０】
ここで、基地局は、第１端末によるデータ伝送のために、第１端末に一組の時間周波数リソースを指定する。一実施形態では、第１端末は、この組の時間周波数リソースからデータ伝送用の第１時間周波数リソースをランダムに選択する。
【００９１】
本発明の実施例において、前記第１端末が基地局から送信された複数の時間周波数リソースを受信することは、
前記第１端末がＭＡＣ層制御シグナリングを介して、基地局から送信された複数の時間周波数リソースを受信する方式１）、又は、
前記第１端末がＲＲＣ層制御シグナリングを介して、基地局から送信された複数の時間周波数リソースを受信する方式２）で実現される。
【００９２】
本発明の実施例において、前記複数の時間周波数リソースのうちの各時間周波数リソースは単一の伝送リソース、又は、一組の周期的伝送リソースであり、
前記時間周波数リソースが一組の周期的伝送リソースである場合、前記第１端末は前記基地局から送信された前記時間周波数リソースに対応する時間周期及び／又は有効時間を受信する。
【００９３】
上記技術案によって、第１時間周波数リソース、即ち第１時間周波数リソースに対応する物理的時間領域リソース位置及び物理的周波数領域リソース位置を決定することができる。また、本発明の実施例は、前記第１時間周波数リソースに対応する伝送パラメータを更に決定し、ここで、前記伝送パラメータはＭＣＳ、送信電力のうちの少なくとも１つを含む。
【００９４】
一実施形態では、前記第１端末は前記第１リンクのリンク品質を示す第２情報と、前記第２リンクのリンク品質を示す第３情報とに基づいて、前記第１時間周波数リソースに対応する伝送パラメータを決定する。又は、前記第１端末は前記基地局により構成された、伝送パラメータ最大値のような伝送パラメータ範囲を受信し、前記第１端末は第２情報及び第３情報に基づいて前記伝送パラメータ範囲から、データの伝送のために適切な伝送パラメータを選択する。
【００９５】
本発明の実施例において、第１端末は下記方式１）及び方式２）で第２情報を取得することができる。
【００９６】
１）前記第１端末が前記第２端末に第１信号を送信することにより、前記第２端末が前記第１信号に基づいて前記第１端末に第２情報をフィードバックする。
【００９７】
２）前記第１端末は前記第２端末が第１電力で送信した第２信号を受信し、前記第２信号に基づいて前記第２情報を決定する。
【００９８】
本発明の実施例において、第１端末は、
前記第１端末が第２電力で前記基地局に第３信号を送信することにより、前記基地局が前記第３信号に基づいて前記第３情報を決定し、前記第１端末が前記基地局から送信された前記第３情報を受信する方式で、第３情報を取得することができる。
【００９９】
具体的に実現する時に、前記第１信号、第２信号及び第３信号はＳＲＳであってもよい。
【０１００】
方式２について、第１端末はＭＣＳ及び／又は送信電力を自動的に選択したため、第１端末は前記第１リンクにおける制御シグナリング（即ちサイドリンク制御シグナリング）を介して、前記第１時間周波数リソースに対応する伝送パラメータを前記第２端末に送信し、前記第２リンクにおける制御シグナリング（即ちアップリンク制御シグナリング）を介して、前記第１時間周波数リソースに対応する伝送パラメータを前記基地局に送信する。
【０１０１】
図７は本発明の実施例のデータ伝送装置の構成模式図である。図７に示されるように、前記データ伝送装置は、
第１時間周波数リソースを利用して、少なくとも１つの第１リンク及び第２リンクにおいて同一のデータを伝送することに用いられ、前記第１リンクが前記第１端末と第２端末との間のリンクであり、前記第２リンクが前記第１端末と基地局との間のリンクであるデータ伝送ユニット７０１を備える。
【０１０２】
一実施形態では、前記装置は、
前記第１端末が前記第１リンク及び前記第２リンクにおいて伝送する必要があるデータ量を示す第１情報を基地局に送信することに用いられる第１送信ユニット７０２と、
前記基地局が前記第１情報に基づいて構成した前記第１時間周波数リソースを受信することに用いられる第１受信ユニット７０３と、を更に備える。
【０１０３】
一実施形態では、前記第１送信ユニット７０２は、ＭＡＣ  ＣＥを介して第１情報を基地局に送信し、又は、ＲＲＣシグナリングを介して第１情報を基地局に送信することに用いられる。
【０１０４】
一実施形態では、前記第１送信ユニット７０２は、ＢＳＲを介して前記第１情報を送信することに用いられる。
【０１０５】
一実施形態では、前記第１送信ユニット７０２は更に、前記データに対応するロジックチャネル又はサービスベアラ又はサービスタイプを示す第４情報を前記基地局に送信することに用いられる。
【０１０６】
一実施形態では、前記第１送信ユニット７０２は更に、第１情報を基地局に送信する場合、周期、ＱｏＳニーズ等の前記サービス特徴の関連情報を示す第５情報を前記基地局に送信することに用いられる。
【０１０７】
一実施形態では、前記第１受信ユニット７０３は、物理層制御シグナリングを介して、前記基地局が前記第１情報に基づいて構成した前記第１時間周波数リソースを受信し、又は、ＭＡＣ層制御シグナリングを介して、前記基地局が前記第１情報に基づいて構成した前記第１時間周波数リソースを受信し、又は、ＲＲＣ層制御シグナリングを介して、前記基地局が前記第１情報に基づいて構成した前記第１時間周波数リソースを受信することに用いられる。
【０１０８】
一実施形態では、前記第１時間周波数リソースが単一の伝送リソースであり、又は、
前記第１時間周波数リソースが一組の周期的伝送リソースである。
【０１０９】
一実施形態では、前記第１時間周波数リソースが一組の周期的伝送リソースである場合、前記第１受信ユニット７０３は更に、前記基地局から送信された前記第１時間周波数リソースに対応する時間周期及び／又は有効時間を受信することに用いられる。
【０１１０】
一実施形態では、前記装置は、
前記基地局が前記第１リンクのリンク品質を示す第２情報と、前記第２リンクのリンク品質を示す第３情報とに基づいて構成した前記第１時間周波数リソースに対応する伝送パラメータを受信することに用いられる第２受信ユニット７０４を更に備え、
前記伝送パラメータは、ＭＣＳ、送信電力のうちの少なくとも１つを含む。
【０１１１】
一実施形態では、前記装置は、
第１信号を前記第２端末に送信することにより、前記第２端末が前記第１信号に基づいて第２情報を前記第１端末にフィードバックし、又は前記第２情報を基地局に送信することに用いられる第２送信ユニット７０５と、
前記第２端末が前記第１信号に基づいてフィードバックした第２情報を受信することに用いられる第３受信ユニット７０６と、
前記第２情報を前記基地局に送信することに用いられる第３送信ユニット７０７と、を更に備える。
【０１１２】
一実施形態では、前記装置は、
前記第２端末が第１電力で送信した第２信号を受信し、前記第２信号に基づいて前記第２情報を決定することに用いられる第４受信ユニット７０８と、
前記第２情報を前記基地局に送信することに用いられる第４送信ユニット７０９と、を更に備える。
【０１１３】
一実施形態では、前記第１電力は基地局により構成されてもよい。
【０１１４】
一実施形態では、前記装置は、
第２電力で第３信号を前記基地局に送信することにより、前記基地局が前記第３信号に基づいて前記第３情報を決定することに用いられる第５送信ユニット７１０を更に備える。
【０１１５】
一実施形態では、前記第２電力は基地局により構成されてもよい。
【０１１６】
一実施形態では、前記装置は、
基地局から送信された複数の時間周波数リソースを受信することに用いられる第５受信ユニット７１１と、
前記複数の時間周波数リソースから、前記データを伝送するための前記第１時間周波数リソースを選択することに用いられる選択ユニット７１２と、を更に備える。
【０１１７】
一実施形態では、前記第５受信ユニット７１１は、ＭＡＣ層制御シグナリングを介して、基地局から送信された複数の時間周波数リソースを受信し、又は、ＲＲＣ層制御シグナリングを介して、基地局から送信された複数の時間周波数リソースを受信することに用いられる。
【０１１８】
一実施形態では、前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す。
【０１１９】
一実施形態では、前記複数の時間周波数リソースのうちの各時間周波数リソースは単一の伝送リソース、又は、一組の周期的伝送リソースであり、
前記時間周波数リソースが一組の周期的伝送リソースである場合、前記第５受信ユニット７１１は更に、前記基地局が送信した前記時間周波数リソースに対応する時間周期及び／又は有効時間を受信することに用いられる。
【０１２０】
一実施形態では、前記装置は、
前記第１リンクのリンク品質を示す第２情報と、前記第２リンクのリンク品質を示す第３情報とに基づいて前記第１時間周波数リソースに対応する伝送パラメータを決定し、又は、前記基地局により構成された、伝送パラメータ最大値のような伝送パラメータ範囲を受信し、前記第１端末が第２情報及び第３情報に基づいて前記伝送パラメータ範囲から、データの伝送のために適切な伝送パラメータを選択することに用いられる決定ユニット７１３を更に備える。
【０１２１】
前記伝送パラメータは、ＭＣＳ、送信電力のうちの少なくとも１つを含む。
【０１２２】
一実施形態では、前記装置は、
第１信号を前記第２端末に送信することにより、前記第２端末が前記第１信号に基づいて前記第１端末に第２情報をフィードバックすることに用いられる第６送信ユニット７１４を更に備える。
【０１２３】
一実施形態では、前記装置は、
前記第２端末が第１電力で送信した第２信号を受信し、前記第２信号に基づいて前記第２情報を決定することに用いられる第６受信ユニット７１５を更に備える。
【０１２４】
一実施形態では、前記装置は、
第２電力で第３信号を前記基地局に送信することにより、前記基地局が前記第３信号に基づいて前記第３情報を決定することに用いられる第７送信ユニット７１６と、
前記基地局が送信した前記第３情報を受信することに用いられる第７受信ユニット７１７と、を更に備える。
【０１２５】
一実施形態では、前記装置は、
前記第１リンクにおける制御シグナリングを介して、前記第１時間周波数リソースに対応する伝送パラメータを前記第２端末に送信し、前記第２リンクにおける制御シグナリングを介して、前記第１時間周波数リソースに対応する伝送パラメータを前記基地局に送信することに用いられる通知ユニット７１８を更に備える。
【０１２６】
当業者が理解できるように、図７に示されるデータ伝送装置における各ユニットの実現機能については上記データ伝送方法の関連説明を参照して理解できる。図７に示されるデータ伝送装置における各ユニットの機能はプロセッサに実行されるプログラムにより実現されてもよく、具体的な論理回路により実現されてもよい。
【０１２７】
本発明の実施例の上記データ伝送装置は、ソフトウェア機能モジュールの形態で実現され、独立した製品として販売又は使用される場合、１つのコンピュータ読み取り可能な記憶媒体に記憶されてもよい。このような理解に基づいて、本発明の実施例の技術案の本質的又は従来技術に貢献する部分はソフトウェア製品の形式で具現されてもよく、該コンピュータソフトウェア製品は１つの記憶媒体に記憶され、１台のコンピュータ装置（パーソナルコンピュータ、サーバ、又はネットワーク装置等であってもよい）に本発明の各実施例に記載の方法の全部又は一部を実行させるための複数の命令を含む。上記記憶媒体は、Ｕディスク、モバイルハードディスク、読み出し専用メモリ（ＲＯＭ、Ｒｅａｄ  Ｏｎｌｙ  Ｍｅｍｏｒｙ）、磁気ディスク又は光ディスク等のプロクラムコードを記憶可能な様々な媒体を含む。このように、本発明の実施例は任意の特定のハードウェアとソフトウェアの組み合わせに限定されない。
【０１２８】
対応して、本発明の実施例は、コンピュータ実行可能命令が記憶されるコンピュータ記憶媒体を更に提供し、該コンピュータ実行可能命令がプロセッサに実行される時、本発明の実施例の上記データ伝送方法を実現する。
【０１２９】
図８は本発明の実施例のコンピュータ装置の構成模式図である。該コンピュータ装置は端末であってもよい。図８に示されるように、コンピュータ装置１００は１つ以上（１つのみが図示される）のプロセッサ１００２（プロセッサ１００２はマイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含むがそれらに制限されない）、データを記憶するためのメモリ１００４、及び通信機能用の伝送装置１００６を備えてもよい。当業者であれば理解できるように、図８に示される構造は例示的なものに過ぎず、上記電子装置の構造を限定しない。例えば、コンピュータ装置１００は図８よりも多い又は少ないコンポーネントを備えてもよく、又は図８に示されるものと異なる構成を有してもよい。
【０１３０】
メモリ１００４は、本発明の実施例における方法に対応するプログラム命令／モジュール等のアプリケーションソフトウエアのソフトウェアプログラム及びモジュールを記憶することに用いられてもよく、プロセッサ１００２はメモリ１００４に記憶されるソフトウェアプログラム及びモジュールを実行することにより、様々な機能アプリケーション及びデータ処理を実行して、上記方法を実現する。メモリ１００４は高速ランダムアクセスメモリを含んでもよく、１つ以上の磁気メモリ、フラッシュメモリ、又は他の不揮発性ソリッドステートメモリのような不揮発性メモリを含んでもよい。いくつかの実例では、メモリ１００４はプロセッサ１００２に対して遠隔設置されたメモリを更に含み、それらの遠隔メモリはネットワークを介してコンピュータ装置１００に接続される。上記ネットワークの実例はインターネット、イントラネット、ローカルエリアネットワーク、移動通信ネットワーク及びそれらの組み合わせを含むがそれらに制限されない。
【０１３１】
伝送装置１００６は１つのネットワークを経由してデータを送受信する。上記ネットワークの具体例はコンピュータ装置１００の通信プロバイダにより提供された無線ネットワークを含んでもよい。一例では、伝送装置１００６は１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を含み、基地局を介して他のネットワーク装置と接続してインターネットと通信することができる。一例では、伝送装置１００６は無線周波数（ＲＦ、Ｒａｄｉｏ  Ｆｒｅｑｕｅｎｃｙ）モジュールであってもよく、無線方式でインターネットと通信することに用いられる。
【０１３２】
本発明の実施例に記載の技術案同士は、矛盾しない限り、任意に組み合わせることができる。
【０１３３】
理解されるように、本発明によるいくつかの実施例では、開示された方法及び知能装置は他の形態で実現されてもよい。上記開示された装置実施例は単に例示的なものであり、例えば、前記ユニットの分割は単に論理機能の分割であり、実際に実現する時に他の分割方式を有してもよく、例えば、複数のユニット又はコンポーネントを組み合わせ、又は他のシステムに集積し、又は複数の特徴を無視したり実行しなかったりしてもよい。更に、表示又は検討される各構成部分間のカップリング、又は直接カップリング、又は通信接続は複数のインターフェース、装置又はユニットを介する間接カップリング又は通信接続であってもよく、電気的な形態、機械的な形態又は他の形態であってもよい。
【０１３４】
分離部材として説明される上記ユニットは物理的に分離したものであってもよく、又は物理的に分離したものでなくてもよく、ユニットとして表示される部材は物理的ユニットであってもよく、又は物理的ユニットでなくてもよく、即ち同一のところに位置してもよく、複数のネットワークユニットに分散してもよく、実際の必要に応じて、一部又は全部のユニットを選択して本実施例の技術案の目的を実現することができる。
【０１３５】
更に、本発明の各実施例における各機能ユニットは１つの第２処理ユニットに集積されてもよく、各ユニットがそれぞれ独立してユニットとして、又は２つ以上のユニットが１つのユニットに集積されてもよく、上記集積されたユニットはハードウェアの形態で実現されてもよく、ハードウェア及びソフトウェア機能ユニットの形態で実現されてもよい。
【０１３６】
以上は、本発明の具体的な実施形態に過ぎず、本発明の保護範囲はそれに制限されず、当業者が本発明に開示された技術範囲内に容易に想到できる変更や置換は、いずれも本発明の保護範囲に属すべきである。
【図１】
2021516469.tif 000003
【図２】
2021516469.tif 000004
【図３】
2021516469.tif 000005
【図４】
2021516469.tif 000006
【図５】
2021516469.tif 000007
【図６】
2021516469.tif 000008
【図７】
2021516469.tif 000009
【図８】
2021516469.tif 000010
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
データ伝送方法であって、
第１端末が第１時間周波数リソースを利用して、少なくとも１つの第１リンク及び第２リンクにおいて同一のデータを伝送することを含み、
前記第１リンクは前記第１端末と第２端末との間のリンクであり、前記第２リンクは前記第１端末と基地局との間のリンクである、データ伝送方法。
【請求項２】
前記第１端末は第１情報を基地局に送信し、前記第１情報は前記第１端末が前記第１リンク及び前記第２リンクにおいて伝送する必要があるデータ量を示すことと、
前記第１端末は、前記基地局が前記第１情報に基づいて構成した前記第１時間周波数リソースを受信することと、を更に含む請求項１に記載の方法。
【請求項３】
前記第１端末が第１情報を基地局に送信することは、
前記第１端末が媒体アクセス制御の制御要素（ＭＡＣ  ＣＥ）を介して第１情報を基地局に送信すること、又は、
前記第１端末が無線リソース制御（ＲＲＣ）シグナリングを介して第１情報を基地局に送信することを含む請求項２に記載の方法。
【請求項４】
前記第１端末が第１情報を基地局に送信する場合、前記データに対応するロジックチャネル又はサービスベアラ又はサービスタイプを示す第４情報を更に前記基地局に送信することを更に含む請求項２又は３に記載の方法。
【請求項５】
前記第１時間周波数リソースが単一の伝送リソースであり、又は、
前記第１時間周波数リソースが一組の周期的伝送リソースである、請求項２〜４のいずれか一項に記載の方法。
【請求項６】
前記方法は、
前記第１端末は、前記基地局が前記第１リンクのリンク品質を示す第２情報と、前記第２リンクのリンク品質を示す第３情報とに基づいて構成した前記第１時間周波数リソースに対応する伝送パラメータを受信することを更に含み、
前記伝送パラメータは、変調符号化スキーム（ＭＣＳ）、送信電力のうちの少なくとも１つを含む、請求項１〜５のいずれか一項に記載の方法。
【請求項７】
前記第１端末が前記第２端末に第１信号を送信することにより、前記第２端末が前記第１信号に基づいて第２情報を前記第１端末にフィードバックし、又は前記第２情報を基地局に送信することと、
前記第１端末は前記第２端末が前記第１信号に基づいてフィードバックした第２情報を受信した場合、前記基地局に前記第２情報を送信することと、を更に含む請求項６に記載の方法。
【請求項８】
前記第１端末は前記第２端末が第１電力で送信した第２信号を受信し、前記第２信号に基づいて前記第２情報を決定して、前記基地局に前記第２情報を送信することを更に含む請求項６に記載の方法。
【請求項９】
前記第１端末が第２電力で前記基地局に第３信号を送信することにより、前記基地局が前記第３信号に基づいて前記第３情報を決定することを更に含む請求項６〜８のいずれか一項に記載の方法。
【請求項１０】
前記第１端末は基地局から送信された複数の時間周波数リソースを受信することと、
前記第１端末は前記複数の時間周波数リソースから、前記データを伝送するための前記第１時間周波数リソースを選択することと、を更に含む請求項１に記載の方法。
【請求項１１】
前記複数の時間周波数リソースは前記基地局が前記第１端末から送信された第１情報に基づいて構成したものであり、前記第１情報は前記第１端末が前記第１リンク及び前記第２リンクにおいて伝送する必要があるデータ量を示す、請求項１０に記載の方法。
【請求項１２】
前記方法は、
前記第１端末は前記第１リンクのリンク品質を示す第２情報と、前記第２リンクのリンク品質を示す第３情報とに基づいて、前記第１時間周波数リソースに対応する伝送パラメータを決定することを更に含み、
前記伝送パラメータは、ＭＣＳ、送信電力のうちの少なくとも１つを含む、請求項１０又は１１に記載の方法。
【請求項１３】
前記第１端末が前記第２端末に第１信号を送信することにより、前記第２端末が前記第１信号に基づいて前記第１端末に第２情報をフィードバックすることを更に含み、或いは、
前記第１端末は前記第２端末が第１電力で送信した第２信号を受信し、前記第２信号に基づいて前記第２情報を決定することを更に含み、或いは、
前記第１端末が第２電力で前記基地局に第３信号を送信することにより、前記基地局が前記第３信号に基づいて前記第３情報を決定することと、
前記第１端末が前記基地局から送信された前記第３情報を受信することと、を更に含む請求項１２に記載の方法。
【請求項１４】
データ伝送装置であって、
第１時間周波数リソースを利用して、少なくとも１つの第１リンク及び第２リンクにおいて同一のデータを伝送することに用いられ、前記第１リンクが前記第１端末と第２端末との間のリンクであり、前記第２リンクが前記第１端末と基地局との間のリンクであるデータ伝送ユニットを備える、データ伝送装置。
【請求項１５】
前記第１端末が前記第１リンク及び前記第２リンクにおいて伝送する必要があるデータ量を示す第１情報を基地局に送信することに用いられる第１送信ユニットと、
前記基地局が前記第１情報に基づいて構成した前記第１時間周波数リソースを受信することに用いられる第１受信ユニットと、を更に備える請求項１４に記載の装置。
【国際調査報告】
2021516469.tif 000011
2021516469.tif 000012
2021516469.tif 000013
2021516469.tif 000014